(57)【要約】【課題】適正な課金処理を行うことが可能となる端末充電システム等を提供する。【解決手段】取得した情報を再生する携帯情報端末Ｔと、携帯情報端末Ｔに電力を供給して充電させる充電器Ｃと、を備える端末充電システムＳであって、充電器Ｃは、携帯情報端末Ｔが再生した情報の実績を示す再生実績を記録するＦｌａｓｈＲＯＭ１６から、当該再生実績の情報を示す再生実績情報を取得する再生実績情報取得手段（ＣＰＵ２１）と、携帯情報端末Ｔから取得した再生実績情報を、携帯情報端末Ｔの再生実績を管理する管理センタに通信経路（公衆通信回線Ｌ）を介して送信する再生実績情報送信手段（ＣＰＵ２１）と、再生実績情報取得手段が、携帯情報端末Ｔから再生実績情報を取得し、かつ、再生実績情報送信手段が前記再生実績情報を管理センタに送信した後に、携帯情報端末Ｔの充電池１３に電力を供給する電力供給制御手段（ＣＰＵ２１）と、を備えることにより上記課題を解決する。【選択図】図３
2008052406.tif 000002
【特許請求の範囲】
【請求項１】
取得した情報を再生する端末装置と、前記端末装置に電力を供給して充電させる充電装置と、を備える端末充電システムであって、
前記充電装置は、
前記端末装置が再生した情報の実績を示す再生実績を記録する記録手段から、当該再生実績の情報を示す再生実績情報を取得する再生実績情報取得手段と、
前記端末装置から取得した前記再生実績情報を、前記端末装置の再生実績を管理する管理装置に通信経路を介して送信する再生実績情報送信手段と、
前記再生実績情報取得手段が、前記端末装置から前記再生実績情報を取得し、かつ、前記再生実績情報送信手段が前記再生実績情報を前記管理装置に送信した後に、前記端末装置の充電池に電力を供給する電力供給制御手段と、
を備えることを特徴とする端末充電システム。
【請求項２】
請求項１に記載の端末充電システムであって、
前記充電装置は、前記端末装置の前記記録手段に電力を供給する補助電力供給制御手段を備え、
前記充電装置の前記再生実績情報取得手段は、前記端末装置の前記記録手段に前記補助電力供給制御手段から電力が供給された後に、前記再生実績情報を取得することを特徴とする端末充電システム。
【請求項３】
請求項１に記載の端末充電システムであって、
前記充電装置の前記再生実績情報取得手段は、前記端末装置から前記再生実績情報を無線で取得し、
前記端末装置の前記記録手段は、無線により情報を送信可能であることを特徴とする端末充電システム。
【請求項４】
請求項１に記載の端末充電システムであって、
前記端末装置は、
前記記録手段と、
前記充電池と、
前記記録手段に電力を供給するための補助電力供給回路と、
前記充電装置の前記再生実績情報取得手段が前記端末装置から前記再生実績情報を取得し、かつ、前記充電装置の前記再生実績情報送信手段が前記再生実績情報を前記管理装置に送信したことを検知した後に、前記充電池に前記充電装置からの電力を供給して充電させるための充電用回路と、
を備え、
前記充電装置の前記再生実績情報取得手段は、前記端末装置の記録手段に前記補助電力供給回路から電力が供給された後に、前記再生実績情報を取得することを特徴とする端末充電システム。
【請求項５】
請求項１乃至４のいずれか一項に記載の端末充電システムであって、
前記充電装置の前記再生実績情報送信手段は、前記管理装置が前記再生実績情報を受信できない場合に、前記管理装置に前記再生実績情報を再度送信することを特徴とする端末充電システム。
【請求項６】
請求項１乃至５のいずれか一項に記載の端末充電システムであって、
前記充電装置又は前記端末装置の少なくともいずれか一方は、
前記充電装置の前記再生実績情報送信手段における前記再生実績情報を送信した程度又は前記端末装置の前記充電池における充電された程度の少なくともいずれか一方を示す表示手段を備えることを特徴とする端末充電システム。
【請求項７】
請求項１乃至６のいずれか一項に記載の端末充電システムであって、
前記充電装置又は前記端末装置の少なくともいずれか一方は、
前記充電装置の前記再生実績情報送信手段において前記再生実績情報の送信に失敗した場合に、前記再生実績情報の送信に失敗したことを示す表示手段を備えることを特徴とする端末充電システム。
【請求項８】
請求項１乃至７のいずれか一項に記載の端末充電システムであって、
前記充電装置の前記再生実績情報送信手段は、前記通信経路として電力線インターネット経路を介して前記再生実績情報を前記管理装置に送信することを特徴とする端末充電システム。
【請求項９】
請求項１乃至８のいずれか一項に記載の端末充電システムに含まれることを特徴とする充電装置。
【請求項１０】
コンピュータを請求項９に記載の充電装置として機能させることを特徴とする情報処理プログラム。
【請求項１１】
取得した情報を再生する端末装置と、前記端末装置に電力を供給して充電させる充電装置と、を備える端末充電システムに含まれる前記端末装置であって、
当該端末装置が再生した情報の実績を示す再生実績を記録する記録手段と、
充電池と、
前記充電装置からの電力を前記記録手段に供給するための補助電力供給回路と、
前記充電装置が当該端末装置から前記再生実績情報を取得し、かつ、前記充電装置が当該再生実績情報を前記端末装置の再生実績を管理する管理装置に通信経路を介して送信したことを検知した後に、前記充電池に前記充電装置からの電力を供給して充電させるための充電用回路と、
を備えることを特徴とする端末装置。
【請求項１２】
コンピュータを、請求項１０に記載の端末装置として機能させることを特徴とする情報処理プログラム。
【請求項１３】
取得した情報を再生する端末装置と、前記端末装置に電力を供給して充電させる充電装置と、を備える端末充電システムの前記充電装置における端末充電方法であって、
前記端末装置が再生した情報の実績を示す再生実績を記録する記録手段から、当該再生実績の情報を示す再生実績情報を取得する工程と、
前記端末装置から取得した前記再生実績情報を、前記端末装置の再生実績を管理する管理装置に通信経路を介して送信する工程と、
前記端末装置から前記再生実績情報を取得する工程、及び、前記再生実績情報を前記管理装置に送信する工程の後に、前記端末装置の充電池に電力を供給する工程と、
を備えることを特徴とする端末充電方法。
【発明の詳細な説明】
【技術分野】
【０００１】
本発明は、取得した情報を再生する端末装置と、当該端末装置に電力を供給して充電させる充電装置と、を備える端末充電システム及び方法等の技術分野に関する。
【背景技術】
【０００２】
近年、ディジタルコンテンツの利用形態が、デスクトップ型やノート型のパーソナルコンピュータ上での利用から、どのような環境でも利用できる小型化された携帯型デジタル音楽プレーヤ等の携帯情報端末での利用へと移ってきている。
【０００３】
このような携帯情報端末においても、コンテンツの利用状況に応じた適正な課金がなされる必要がある。しかしながら、携帯情報端末は遠隔な位置にあるシステムの管理センタとの通信手段に乏しく、課金のための情報を適切に管理センタに送信できない場合が考えられる。
【０００４】
このような場合のデジタル情報管理方法として、情報携帯端末におけるデジタル情報の課金されるべき内容を示した利用情報を、端末側の充電時に、端末用充電器が情報管理センタ側に送信する技術が開示されている（例えば、特許文献１参照）。
【特許文献１】特開２００１−１６７１９６号公報
【発明の開示】
【発明が解決しようとする課題】
【０００５】
上述の携帯情報端末におけるコンテンツの利用形態として、多くのコンテンツを利用可能に保持しておき、これらから利用したコンテンツの分だけ課金する形態が考えられる。
【０００６】
上記特許文献１に記載の技術をこのような形態に利用することを考えると、例えば、端末用充電器を通信回線から外すことや、情報携帯端末と端末用充電器の間の通信を妨害することにより、デジタル情報の利用情報を情報管理センタに送信することが不可能となり、デジタル情報の利用状況に応じた適正な課金処理を行うことができないことも考えられる。
【０００７】
そこで、本発明は、適正な課金処理を行うことが可能となる手法を提案するものであり、これに適した端末充電システム及び方法等を提供することを目的とする。
【課題を解決するための手段】
【０００８】
上記課題を解決するために、請求項１に記載の発明は、取得した情報を再生する端末装置と、前記端末装置に電力を供給して充電させる充電装置と、を備える端末充電システムであって、前記充電装置は、前記端末装置が再生した情報の実績を示す再生実績を記録する記録手段から、当該再生実績の情報を示す再生実績情報を取得する再生実績情報取得手段と、前記端末装置から取得した前記再生実績情報を、前記端末装置の再生実績を管理する管理装置に通信経路を介して送信する再生実績情報送信手段と、前記再生実績情報取得手段が、前記端末装置から前記再生実績情報を取得し、かつ、前記再生実績情報送信手段が前記再生実績情報を前記管理装置に送信した後に、前記端末装置の充電池に電力を供給する電力供給制御手段と、を備えることを特徴とする。
【０００９】
これによれば、充電装置は、再生実績情報取得手段が端末装置から再生実績情報を取得し、かつ、再生実績情報送信手段が再生実績情報を管理装置に送信した後に、端末装置の充電池に電力を供給する電力供給制御手段を備えることから、端末装置におけるコンテンツ等の情報の再生実績を管理装置に通知することを妨害することによる不正な課金逃れを防止し、管理装置において適正な課金処理を行うことが可能となる。すなわち、充電装置を管理装置との通信経路から外すことや、端末装置と充電装置の間の通信を妨害した場合には、コンテンツ等の情報の再生実績情報を管理装置に送信することが不可能となるが、同時に端末装置の充電も行うことができないため、このような場合には、端末装置は電力がないために駆動せず、ユーザは端末装置を利用できなくなる。また、携帯可能な端末装置等の電子機器は、定期的に充電が必要になるため、定期的に課金に必要な再生実績情報を管理装置に送信することが可能となる。
【００１０】
上記課題を解決するために、請求項２に記載の発明は、請求項１に記載の端末充電システムであって、前記充電装置は、前記端末装置の前記記録手段に電力を供給する補助電力供給制御手段を備え、前記充電装置の前記再生実績情報取得手段は、前記端末装置の前記記録手段に前記補助電力供給制御手段から電力が供給された後に、前記再生実績情報を取得することを特徴とする。
【００１１】
これによれば、充電装置が補助電力供給制御手段を有することにより、端末装置に全く電力がない場合に、少なくとも記録手段には電力を供給して再生実績情報取得手段が再生実績情報を取得できる。そのため、上述のように不正を防止できる。
【００１２】
上記課題を解決するために、請求項３に記載の発明は、請求項１に記載の端末充電システムであって、前記充電装置の前記再生実績情報取得手段は、前記端末装置から前記再生実績情報を無線で取得し、前記端末装置の前記記録手段は、無線により情報を送信可能であることを特徴とする。
【００１３】
これによれば、無線で再生実績情報を取得できる記録手段として、例えば電子タグを用いることができ、充電装置の再生実績情報取得手段と、端末装置の記録手段とが上述の構成になっていることにより、端末装置に全く電力がない場合であっても、電子タグから再生実績情報を取得できる。そのため、上述のように不正を防止できる。さらに、端末装置及び充電装置には、通信用の回路や充電用の回路を別個に設ける必要がないため、各装置の構成を簡略化できる。
【００１４】
上記課題を解決するために、請求項４に記載の発明は、請求項１に記載の端末充電システムであって、前記端末装置は、前記記録手段と、前記充電池と、前記記録手段に電力を供給するための補助電力供給回路と、前記充電装置の前記再生実績情報取得手段が前記端末装置から前記再生実績情報を取得し、かつ、前記充電装置の前記再生実績情報送信手段が前記再生実績情報を前記管理装置に送信したことを検知した後に、前記充電池に前記充電装置からの電力を供給して充電させるための充電用回路と、を備え、前記充電装置の前記再生実績情報取得手段は、前記端末装置の記録手段に前記補助電力供給回路から電力が供給された後に、前記再生実績情報を取得することを特徴とする。
【００１５】
これによれば、端末装置が上述の構成となっていることにより、端末装置に全く電力がない場合であっても、はじめに記録手段に電力を供給し、再生実績情報が取得されて管理装置に送信されたことを認識すると、充電池に電力を供給するように、端末装置内において調節することができる。そのため、上述のように不正を防止できる。
【００１６】
上記課題を解決するために、請求項５に記載の発明は、請求項１乃至４のいずれか一項に記載の端末充電システムであって、前記充電装置の前記再生実績情報送信手段は、前記管理装置が前記再生実績情報を受信できない場合に、前記管理装置に前記再生実績情報を再度送信することを特徴とする。
【００１７】
これによれば、充電装置の再生実績情報送信手段がこのような構成となっていることにより、確実に再生実績情報を管理装置に送信することができ、端末装置において充電しやすくすることができる。
【００１８】
上記課題を解決するために、請求項６に記載の発明は、請求項１乃至５のいずれか一項に記載の端末充電システムであって、前記充電装置又は前記端末装置の少なくともいずれか一方は、前記充電装置の前記再生実績情報送信手段における前記再生実績情報を送信した程度又は前記端末装置の前記充電池における充電された程度の少なくともいずれか一方を示す表示手段を備えることを特徴とする。
【００１９】
これによれば、充電装置又は端末装置に備えられる表示手段により、再生実績情報の送信や充電の進捗を端末装置のユーザが確認でき、ユーザにおける利便性が向上したものとなる。
【００２０】
上記課題を解決するために、請求項７に記載の発明は、請求項１乃至６のいずれか一項に記載の端末充電システムであって、前記充電装置又は前記端末装置の少なくともいずれか一方は、前記充電装置の前記再生実績情報送信手段において前記再生実績情報の送信に失敗した場合に、前記再生実績情報の送信に失敗したことを示す表示手段を備えることを特徴とする。
【００２１】
これによれば、充電装置又は端末装置に備えられる表示手段により、再生実績情報の送信エラーを端末装置のユーザが確認できる。ユーザはその際に、充電がされないので改めて充電するか、充電ができるまで再生実績情報を送信するか、を選択でき、ユーザにおける利便性が向上したものとなる。
【００２２】
上記課題を解決するために、請求項８に記載の発明は、請求項１乃至７のいずれか一項に記載の端末充電システムであって、前記充電装置の前記再生実績情報送信手段は、前記通信経路として電力線インターネット経路を介して前記再生実績情報を前記管理装置に送信することを特徴とする。
【００２３】
これによれば、通信経路として電力線インターネット経路を用いることにより、電源の供給経路と再生実績情報送信のための通信経路を同時に確保できる。そのため、端末装置のユーザが各経路を別々に確保する必要がなくなり、ユーザにおける利便性が向上したものとなる。
【００２４】
上記課題を解決するために、請求項９に記載の発明は、請求項１乃至８のいずれか一項に記載の端末充電システムに含まれることを特徴とする充電装置である。
【００２５】
これによれば、上述のように、不正な課金逃れを防止し、管理装置において適正な課金処理を行うことが可能となる。
【００２６】
上記課題を解決するために、請求項１０に記載の発明は、コンピュータを請求項９に記載の充電装置として機能させることを特徴とする情報処理プログラムである。
【００２７】
上記課題を解決するために、請求項１１に記載の発明は、取得した情報を再生する端末装置と、前記端末装置に電力を供給して充電させる充電装置と、を備える端末充電システムに含まれる前記端末装置であって、当該端末装置が再生した情報の実績を示す再生実績を記録する記録手段と、充電池と、前記充電装置からの電力を前記記録手段に供給するための補助電力供給回路と、前記充電装置が当該端末装置から前記再生実績情報を取得し、かつ、前記充電装置が当該再生実績情報を前記端末装置の再生実績を管理する管理装置に通信経路を介して送信したことを検知した後に、前記充電池に前記充電装置からの電力を供給して充電させるための充電用回路と、を備えることを特徴とする。
【００２８】
これによれば、端末装置に全く電力がない場合であっても、はじめに記録手段に電力を供給し、再生実績情報が取得されて管理装置に送信されたことを認識すると、充電池に電力を供給するように、端末装置内において調節することができる。そのため、不正な課金逃れを防止し、管理装置において適正な課金処理を行うことが可能となる。
【００２９】
上記課題を解決するために、請求項１２に記載の発明は、コンピュータを、請求項１０に記載の端末装置として機能させることを特徴とする情報処理プログラムである。
【００３０】
上記課題を解決するために、請求項１３に記載の発明は、取得した情報を再生する端末装置と、前記端末装置に電力を供給して充電させる充電装置と、を備える端末充電システムの前記充電装置における端末充電方法であって、前記端末装置が再生した情報の実績を示す再生実績を記録する記録手段から、当該再生実績の情報を示す再生実績情報を取得する工程と、前記端末装置から取得した前記再生実績情報を、前記端末装置の再生実績を管理する管理装置に通信経路を介して送信する工程と、前記端末装置から前記再生実績情報を取得する工程、及び、前記再生実績情報を前記管理装置に送信する工程の後に、前記端末装置の充電池に電力を供給する工程と、を備えることを特徴とする。
【発明の効果】
【００３１】
本発明によれば、端末装置におけるコンテンツ等の情報の再生実績を管理装置に通知することを妨害することによる不正な課金逃れを防止し、管理装置において適正な課金処理を行うことが可能となる。
【発明を実施するための最良の形態】
【００３２】
以下、本発明の最良の実施形態を図面に基づいて説明する。以下に説明する実施の形態は、取得した情報を再生する端末装置として携帯情報端末Ｔを用い、端末装置に電力を供給して充電させる充電装置として充電器Ｃを用いた端末充電システムＳに本発明を適用した場合の実施形態である。なお、本発明の端末充電システム等の各発明は、以下に説明する実施形態に限定されず、本発明の技術思想の範囲内で適宜変更して実施される。
【００３３】
［１．端末充電システムの概略等］
始めに、図１を参照して、端末充電システムＳの概要構成等について説明する。図１は、本実施形態に係る端末充電システムＳにおける携帯情報端末Ｔ及び充電器Ｃの接続態様の一例を示す図である。
【００３４】
図１に示すように、充電時には携帯情報端末Ｔと充電器Ｃとが通信及び電力の供給が可能なように接続されている。このとき、充電装置Ｃが通信経路としての公衆通信回線Ｌを介して管理センタＭと接続されている。管理センタＭは本発明の管理装置であり、携帯情報端末Ｔの再生実績を管理している。
【００３５】
本実施形態においては、携帯情報端末Ｔにおける取得した情報としてのコンテンツの利用形態として、携帯情報端末Ｔが多くのコンテンツを利用可能に保持しておき、これらから利用（再生）したコンテンツの分だけ課金することとする。コンテンツは、特に限定されないが、例えば、音楽、画像（動画像及び静止画像含む）、映像、ゲーム等であり、特に著作権を有し、課金が必要な情報に好ましく適用できる。
【００３６】
充電器Ｃは、携帯情報端末Ｔから再生した情報の実績を示す再生実績情報を取得し、かつ、再生実績情報を管理センタＭに送信した後に、携帯情報端末Ｔの充電池に電力を供給することに特徴を有している。
【００３７】
ここで、図２に再生実績情報の一例を示す。図２に示すように、再生実績情報は、情報携帯端末Ｔにおいて再生したコンテンツのコンテンツＩＤ（例えば、コンテンツＩＤ１、コンテンツＩＤ２、コンテンツＩＤ３等）と、当該コンテンツを情報携帯端末Ｔにおいて何回再生したか（再生回数）、が対応付けられた表となっている。この再生実績情報が後述する情報携帯端末Ｔの記録手段としてのＦｌａｓｈＲＯＭ等に記録されており、この再生実績情報を充電器Ｃが取得し、管理センタＭに送信する。なお、コンテンツＩＤは、あるコンテンツを他のコンテンツと識別できるＩＤであれば、特に限定されない。
【００３８】
管理センタＭにおいては、再生実績情報のコンテンツＩＤと再生回数から、コンテンツ再生の単価や加算額を確認して、当該再生実績情報に対応する情報携帯端末Ｔへの課金額を算出し、課金処理を行うことができる。なお、このような課金処理を行うために、再生実績情報には、コンテンツを再生した時刻の情報や、携帯情報端末Ｔの識別情報を含めてもよい。このように、管理センタＭにおいて、受信した携帯情報端末Ｔ毎の再生実績情報が管理される。
【００３９】
また、携帯情報端末Ｔとこれが設置される充電器Ｃとの組合せは、予め定められたものでもいいし、異なった充電器Ｃにより携帯情報端末Ｔを充電することができるようになっていてもよい。特に後者の場合には、携帯情報端末Ｔの識別情報を再生実績情報に含めることにより、管理センタＭにおいて適切に課金処理が行える。
【００４０】
また、情報携帯端末Ｔにおける再生実績情報を充電器Ｃが取得し、管理センタＭに送信した場合に、後述の各実施形態においては、充電器Ｃが取得した分の情報を削除することとしているが、記録手段の記録容量によってはそのまま記録していてもよい。再生実績情報を削除する態様とした場合には、誤って重複した再生実績情報が管理センタＭに送信され、重複して課金されることが防止される。
【００４１】
以下に、携帯情報端末Ｔと充電器Ｃとの組合せにおいて、充電器Ｃが再生実績情報取得のための補助電力供給制御手段を備えた第１実施形態、携帯情報端末Ｔが記録手段として無線により情報を送信可能である電子タグを備えた第２実施形態、再生実績情報が管理センタＭに送信されてから電力が供給されるように携帯情報端末Ｔ内において制御された第３実施形態、について説明する。
【００４２】
［２．第１実施形態］
端末充電システムＳの第１実施形態においては、充電器Ｃが再生実績情報取得のための補助電力供給制御手段を備えている。第１実施形態について、図３及び図４を参照して説明する。
【００４３】
［２．１概要構成等］
図３を参照して、端末充電システムＳの第１実施形態における携帯情報端末Ｔと充電器Ｃの概要構成例について説明する。
【００４４】
図３に示すように、携帯情報端末Ｔは、主制御部１１と、ＵＳＢ（Universal Serial Bus）ポート１２と、充電池１３と、充電用コネクタ１４と、再生実績情報の管理及び補助電力供給のためのＣＰＵ１５と、再生実績情報が記録される記録手段としてのＦｌａｓｈＲＯＭ１６と、通信用コネクタ１７と、を備えている。
【００４５】
主制御部１１は、携帯情報端末Ｔ全体を統括・制御し、演算機能を有する。図示しないが、主制御部１１には、受信したコンテンツデータ等を一時蓄積するバッファメモリ、作業用ＲＡＭ、各種データおよびプログラムを記憶するＲＯＭ等の記録媒体、スピーカへの音声出力部、表示部への画像出力部、外部との通信を行う通信部、ユーザによる操作がなされる操作部等の携帯情報端末Ｔの本来の機能を有する各部が含まれていることとする。
【００４６】
主制御部１１はＵＳＢポート１２と接続して他の装置等からコンテンツ等を取得する他、ＣＰＵ１５と接続されて連携し、コンテンツを再生した場合に、これに係る再生実績情報をＣＰＵ１５に接続するＦｌａｓｈＲＯＭ１６に記録できるようになっている。
【００４７】
ＵＳＢポート１２は、外部のＰＣ（Personal Computer）や他の情報記録媒体等とＵＳＢ接続するためのポートであり、このＵＳＢポート１２を通じて外部からコンテンツ等の情報を取得することができる。また、ＵＳＢポート１２を通じて外部のＰＣ等から携帯情報端末Ｔの情報等を読み取ることができるようになっている。これらの情報は、例えば、主制御部１１に含まれるＲＯＭ等に保存される。
【００４８】
充電池１３は、携帯情報端末Ｔ全体、図３においては主制御部１１に電力を供給するための充電池であり、充電器Ｃから充電用コネクタ１４を通じて電力が供給される。充電用コネクタ１４は、携帯情報端末Ｔの充電時に充電器Ｃの充電用コネクタ２３と接続し、充電器Ｃからの電力を充電池１３に供給する。
【００４９】
ＣＰＵ１５は、主制御部１１からの指示によりＦｌａｓｈＲＯＭ１６に再生実績情報を記録させる。また、ＣＰＵ１５は、充電器Ｃから通信用コネクタ１７を通じて供給された補助電力が供給されると、当該電力をＦｌａｓｈＲＯＭ１６に供給する。そして、ＣＰＵ１５は、ＦｌａｓｈＲＯＭ１６から再生実績情報を読み出して通信用コネクタ１７を通じて充電器Ｃに当該再生実績情報を送信する。なお、この補助電力は、ＣＰＵ１５と充電器Ｃとが通信を行うための電力であり、補助電力は上述の充電池１３には供給されない。
【００５０】
ＦｌａｓｈＲＯＭ１６は、本発明の記録手段として機能し、ＣＰＵ１５からの制御により再生実績情報が記録される。ＦｌａｓｈＲＯＭ１６の再生実績情報は、携帯情報端末Ｔが充電される前に充電器Ｃに取得される。
【００５１】
通信用コネクタ１７は、携帯情報端末Ｔの充電時に充電器Ｃの通信用コネクタ２４と接続し、充電器Ｃからの補助電力をＣＰＵ１５に供給し、また、ＣＰＵ１５から受信した再生実績情報を充電器Ｃに送信する。なお、通信用コネクタ１７は、主制御部１１について記載した通信部と共用されてもよい。
【００５２】
このように、本実施形態の携帯情報端末Ｔは、充電器Ｃとの通信に必要な構成（例えば、ＣＰＵ１５、ＦｌａｓｈＲＯＭ１６、通信用コネクタ１７）が、携帯情報端末Ｔ自体の機能に応じた動作を行う構成（主制御部１１等）とは別個に設けられており、各構成が独立して動作することが可能である。
【００５３】
一方、充電器Ｃは、ＣＰＵ２１と、電源２２と、充電用コネクタ２３と、通信用コネクタ２４と、スイッチＳＷと、モデム２５と、ＲＡＭ２６と、を備えている。
【００５４】
ＣＰＵ２１は、充電器Ｃ全体を統括・制御し、演算機能を有する。ＣＰＵ２１は、再生実績情報取得手段、再生実績情報送信手段、電力供給制御手段、補助電力供給制御手段として機能する。
【００５５】
再生実績情報取得手段としてのＣＰＵ２１は、携帯情報端末Ｔが再生したコンテンツの実績を示す再生実績を記録するＦｌａｓｈＲＯＭ１６から、当該再生実績の情報を示す再生実績情報を取得する。再生実績情報送信手段としてのＣＰＵ２１は、携帯情報端末Ｔから取得した再生実績情報を、携帯情報端末Ｔの再生実績を管理する管理センタＭに公衆通信回線Ｌを介して送信する。また、電力供給制御手段としてのＣＰＵ２１は、上記のようにＣＰＵ２１が、携帯情報端末Ｔから再生実績情報を取得し、かつ、ＣＰＵ２１が再生実績情報を管理センタＭに送信した後に、携帯情報端末Ｔの充電池１３に電力を供給する。
【００５６】
本実施形態では、特に、ＣＰＵ２１が補助電力供給制御手段として機能し、通信用コネクタ２４を用いて携帯情報端末Ｔの通信コネクタ１７を介してＣＰＵ１５に電力を供給することによって、ＦｌａｓｈＲＯＭ１６に電力が供給される。そして、再生実績情報取得手段としてのＣＰＵ２１は、補助電力供給制御手段としてのＣＰＵ２１における制御により携帯情報端末ＴのＦｌａｓｈＲＯＭ１６に電力が供給された後に、再生実績情報を取得する。
【００５７】
電源２２は携帯情報端末Ｔに供給する電力源であり、通常、図示しない外部の電力コンセント等に接続されている。電源２２は、ＣＰＵ２１の制御により、充電用コネクタ２３や通信用コネクタ２４を介して携帯情報端末Ｔに電力を供給する。
【００５８】
充電用コネクタ２３は、携帯情報端末Ｔの充電時に携帯情報端末Ｔの充電用コネクタ１４と接続し、電力供給制御手段としてのＣＰＵ２１の制御により電源２２からの電力を携帯情報端末Ｔに供給する。
【００５９】
通信用コネクタ２４は、携帯情報端末Ｔの充電時に携帯情報端末Ｔの通信用コネクタ１７と接続し、補助電力供給制御手段としてのＣＰＵ２１の制御により電源２２からの補助電力を携帯情報端末Ｔに供給し、また、携帯情報端末Ｔから受信した再生実績情報をＣＰＵ２１に送信する。
【００６０】
スイッチＳＷは、充電用コネクタ２３と電源２２との間に設けられて電力供給制御手段としてのＣＰＵ２１により制御されるものである。スイッチＳＷは、通常、図３にも示すように開いているが、ＣＰＵ２１が携帯情報端末Ｔから再生実績情報を取得し、かつ、再生実績情報を管理センタＭに送信した場合には、その後、携帯情報端末Ｔの充電池１３に電力を供給するよう閉じられる。
【００６１】
モデム２５は、ＣＰＵ２１から再生実績情報を受信し、公衆通信回線Ｌを介して管理センタＭへ送信する。モデム２５は、その他にも充電器Ｃと他の装置とが公衆通信回線Ｌを介して通信を行う際に、その情報の伝送を行う。
【００６２】
ＲＡＭ２６には、充電器Ｃに必要なプログラムや一時的に記憶される携帯情報端末Ｔの再生実績情報の各種情報がＣＰＵ２１により読み出し可能に記録されている。
【００６３】
ここで、携帯情報端末Ｔと充電器Ｃとの接続が切断された場合には、充電用コネクタ１４、２３間、通信用コネクタ１７、２４間の接続が切断され、携帯情報端末Ｔにおける充電用コネクタ１４と充電池１３間、通信用コネクタ１７とＣＰＵ１５間の電力供給が途絶える。これに伴い、充電器Ｃの電源２２と充電用コネクタ２３間のスイッチＳＷが閉じられていた場合も、開いた状態に戻る。
【００６４】
［２．２動作］
図４を参照して、端末充電システムＳの第１実施形態における充電器Ｃの動作について説明する。
【００６５】
この動作の説明においては、充電器Ｃの電源が確保されてオンになると動作が開始し（ｓｔａｒｔ）、図４には示していないが、充電器Ｃの電源が確保されなくなりオフになると終了するものとする。また、動作の説明においては、再生実績情報をコンテンツ再生実績情報とする。
【００６６】
図４に示すように、充電器Ｃにおける動作が開始すると、ＣＰＵ２１は充電用コネクタ２３及び通信用コネクタ２４において携帯情報端末Ｔが充電器Ｃに接続されたか否かを判断する（ステップＳ１）。携帯情報端末Ｔが充電器Ｃに接続されない場合には、ステップＳ１に戻り、携帯情報端末Ｔが充電器Ｃに接続されるまで、ステップＳ１の判断を繰り返す（ステップＳ１；ＮＯ）。ステップＳ１において、携帯情報端末Ｔが充電器Ｃに接続されると（ステップＳ１；ＹＥＳ）、ＣＰＵ２１は通信用電源をオンにし（ステップＳ２）、つまり、通信用コネクタ２４を通じて携帯情報端末Ｔの通信コネクタ１７に補助電力を供給する。すると、携帯情報端末Ｔでは、通信コネクタ１７を介してＣＰＵ１５に充電器Ｃからの補助電力が供給される。そしてＣＰＵ１５は、供給された補助電力をＦｌａｓｈＲＯＭ１６に供給する。次いで、ＣＰＵ１５は、ＦｌａｓｈＲＯＭ１６からコンテンツ再生実績情報を読み出し、通信コネクタ１７を介して充電器Ｃに送信する。充電器Ｃでは、ＣＰＵ２１が、通信コネクタ２４を介してコンテンツ再生実績情報を取得する（ステップＳ３）。
【００６７】
次いで、ＣＰＵ２１は、コンテンツ再生実績情報を携帯情報端末Ｔから取得できたか否かを判断する（ステップＳ４）。コンテンツ再生実績情報を取得できた場合には（ステップＳ４；ＹＥＳ）、ＣＰＵ２１は、取得したコンテンツ再生実績情報を管理センタＭへ公衆通信回線Ｌを介して送信する（ステップＳ５）。
【００６８】
次いで、ＣＰＵ２１は、コンテンツ再生実績情報を管理センタＭに送信できたか否かを判断する（ステップＳ６）。コンテンツ再生実績情報を送信できた場合には（ステップＳ６；ＹＥＳ）、ＣＰＵ２１は、通信コネクタ２４を介して携帯情報端末Ｔにコンテンツ再生実績情報を削除する指示を送信する（ステップＳ７）。すると、携帯情報端末Ｔでは、ＣＰＵ１５がＦｌａｓｈＲＯＭ１６からコンテンツ再生実績情報を削除する。そして、充電器Ｃでは、ＣＰＵ２１が充電用電源をオンにし（ステップＳ８）、つまり、スイッチＳＷを閉じて充電用コネクタ２３を通して携帯情報端末Ｔの充電用コネクタ１４に電力を供給する。すると、携帯情報端末Ｔでは、充電用コネクタ１４を介して充電池１３に電力が供給されて、充電池１３が充電される。
【００６９】
次いで、ＣＰＵ２１は、携帯情報端末Ｔが充電器Ｃから外されたか否かを判断する（ステップＳ９）。携帯情報端末Ｔが充電器Ｃから外されない場合には、ステップＳ９に戻り、携帯情報端末Ｔが充電器Ｃから外されるまで、ステップＳ９の判断を繰り返し（ステップＳ９；ＮＯ）、その間携帯情報端末Ｔの充電池１３に電力が供給されて充電される。ステップＳ９において、携帯情報端末Ｔが充電器Ｃから外された場合には（ステップＳ９；ＹＥＳ）、スイッチＳＷを開いて充電用電源をオフにし（ステップＳ１０）、ステップＳ１に戻る。
【００７０】
一方、ステップＳ４においてコンテンツ再生実績情報を取得できない場合（ステップＳ４；ＮＯ）と、ステップＳ６において再生実績情報を取得できない場合（ステップＳ６；ＮＯ）には、上記の充電用電源をオンにするステップＳ８を行わずにステップＳ９に進む。このとき、ステップＳ９において携帯情報端末Ｔが充電器Ｃから外されるまでステップＳ９の判断を繰り返し（ステップＳ９；ＮＯ）、携帯情報端末Ｔが充電器Ｃから外された場合には（ステップＳ９；ＹＥＳ）、元々の状態のままであるが、スイッチＳＷを開いた状態で充電用電源をオフとし（ステップＳ１０）、ステップ１に戻る。
【００７１】
［３．第２実施形態］
端末充電システムＳの第２実施形態においては、携帯情報端末Ｔが記録手段として無線により情報を送信可能である電子タグ３５を備えている。具体的に、充電器Ｃの再生実績情報取得手段としてのＣＰＵ２１は、携帯情報端末Ｔから再生実績情報を無線で取得できるようになっており、携帯情報端末Ｔの記録手段としての電子タグ３５は、無線により情報を送信可能となっている。第２実施形態について、図５及び図６を参照して説明する。
【００７２】
［３．１概要構成等］
図５を参照して、端末充電システムＳの第２実施形態における携帯情報端末Ｔと充電器Ｃの概要構成例について説明する。
【００７３】
図５に示すように、携帯情報端末Ｔは、再生実績情報の管理のための主制御部３１と、ＵＳＢポート３２と、充電池３３と、充電用コネクタ３４と、再生実績情報が記録される記録手段としての電子タグ３５と、を備えている。
【００７４】
主制御部３１は、携帯情報端末Ｔ全体を統括・制御し、演算機能を有する。図示しない各構成は、第１実施形態の主制御部１１と同様である。なお、主制御部３１はＵＳＢポート３２と接続して他の装置等からコンテンツ等を取得する他、電子タグ３５と接続されて連携し、コンテンツを再生した場合に、これに係る再生実績情報を電子タグ３５に記録できるようになっている。
【００７５】
ＵＳＢポート３２、充電池３３及び充電用コネクタ３４は、第１実施形態の対応する各構成部材と同様である。
【００７６】
電子タグ３５は、本発明の記録手段として機能し、主制御部３１からの制御により再生実績情報が記録される。電子タグ３５は、充電器Ｃの電子タグ用アンテナ４４からの電波を受信すると、記録されている再生実績情報を送信する。すると、充電器Ｃの電子タグ用アンテナ４４が再生実績情報を受信する。
【００７７】
このように、本実施形態の携帯情報端末Ｔは、充電器Ｃとの通信に必要な構成（例えば、電子タグ３５）が、携帯情報端末Ｔ自体の機能に応じた動作を行う構成（主制御部１１等）とは別個に設けられており、各構成が独立して動作することが可能である。
【００７８】
一方、充電器Ｃは、ＣＰＵ４１と、電源４２と、充電用コネクタ４３と、電子タグ用アンテナ４４と、スイッチＳＷと、モデム４５と、ＲＡＭ４６と、を備えている。
【００７９】
ＣＰＵ４１は、充電器Ｃ全体を統括・制御し、演算機能を有する。ＣＰＵ４１は、再生実績情報取得手段、再生実績情報送信手段、電力供給制御手段として機能する。これらの各手段としてのＣＰＵ４１は、第１実施形態の充電器ＣのＣＰＵ２１と同様に機能する。
【００８０】
また、本実施形態では、特に、ＣＰＵ４１が再生実績情報取得手段として、携帯情報端末Ｔから電子タグ用アンテナ４４を用いて再生実績情報を無線で取得する。ＣＰＵ４１は、再生実績情報を取得すると、当該再生実績情報を管理センタＭに送信し、スイッチＳＷを閉じて、携帯情報端末Ｔの充電池１３に電力を供給する。
【００８１】
電源４２は、第１実施形態の電源２２とほぼ同様であり、ＣＰＵ４１の制御により、充電用コネクタ４３を介して携帯情報端末Ｔに電力を供給する。
【００８２】
充電用コネクタ４３、スイッチＳＷ、モデム４５及びＲＡＭ４６は、第１実施形態の対応する各構成部材と同様である。
【００８３】
ここで、携帯情報端末Ｔと充電器Ｃとの接続が切断された場合には、充電用コネクタ３４、４３間の接続が切断され、電子タグ用アンテナ４４が電子タグ３５から情報を読み取れなくなる。また、携帯情報端末Ｔにおける充電用コネクタ３４と充電池３３間の電力供給が途絶える。これに伴い、充電器Ｃの電源４２と充電用コネクタ４３間のスイッチＳＷが閉じられていた場合も、開いた状態に戻る。
【００８４】
なお、本実施形態においては、充電器Ｃが再生実績情報を無線で取得し、携帯情報端末Ｔが再生実績情報を無線で送信できるよう、携帯情報端末Ｔに電子タグ３５が備えられ、充電器Ｃに電子タグ用アンテナ４４が備えられているが、無線で再生実績情報を送受信するためには、電子タグ３５等以外の構成を用いてもよい。
【００８５】
［３．２動作］
図６を参照して、端末充電システムＳの第２実施形態における充電器Ｃの動作について説明する。
【００８６】
この動作の説明においては、充電器Ｃの電源が確保されてオンになると動作が開始し（ｓｔａｒｔ）、図６には示していないが、充電器Ｃの電源が確保されなくなりオフになると終了するものとする。
【００８７】
図６に示すように、充電器Ｃにおける動作が開始すると、ＣＰＵ４１は充電用コネクタ４３及び通信用コネクタ４４において携帯情報端末Ｔが充電器Ｃに接続されたか否かを判断する（ステップＳ１１）。携帯情報端末Ｔが充電器Ｃに接続されない場合には、ステップＳ１１に戻り、携帯情報端末Ｔが充電器Ｃに接続されるまで、ステップＳ１１の判断を繰り返す（ステップＳ１１；ＮＯ）。ステップＳ１１において、携帯情報端末Ｔが充電器Ｃに接続されると（ステップＳ１１；ＹＥＳ）、携帯情報端末Ｔの電子タグ３５が再生実績情報を無線で送信するため、ＣＰＵ４１は電子タグ用アンテナ４４を介して再生実績情報を無線で取得する（ステップＳ１２）。
【００８８】
次いで、ＣＰＵ４１は、コンテンツ再生実績情報を電子タグ３５から取得できたか否かを判断する（ステップＳ１３）。コンテンツ再生実績情報を取得できた場合には（ステップＳ１３；ＹＥＳ）、ＣＰＵ４１は、取得したコンテンツ再生実績情報を管理センタＭへ公衆通信回線Ｌを介して送信する（ステップＳ１４）。
【００８９】
次いで、ＣＰＵ４１は、コンテンツ再生実績情報を管理センタＭに送信できたか否かを判断する（ステップＳ１５）。コンテンツ再生実績情報を送信できた場合には（ステップＳ１５；ＹＥＳ）、ＣＰＵ４１は、電子タグ用アンテナ４４を介して携帯情報端末Ｔにコンテンツ再生実績情報を削除する指示を送信する（ステップＳ１６）。すると、携帯情報端末Ｔでは、電子タグ３５がコンテンツ再生実績情報を削除する。そして、充電器Ｃでは、ＣＰＵ４１が充電用電源をオンにし（ステップＳ１７）、つまり、スイッチＳＷを閉じて充電用コネクタ４３を通じて携帯情報端末Ｔの充電用コネクタ３４に電力を供給する。すると、携帯情報端末Ｔでは、充電用コネクタ３４を介して充電池３３に電力が供給されて、充電池３３が充電される。
【００９０】
次いで、ＣＰＵ４１は、携帯情報端末Ｔが充電器Ｃから外されたか否かを判断する（ステップＳ１８）。携帯情報端末Ｔが充電器Ｃから外されない場合には、ステップＳ１８に戻り、携帯情報端末Ｔが充電器Ｃから外されるまで、ステップＳ１８の判断を繰り返し（ステップＳ１８；ＮＯ）、その間携帯情報端末Ｔの充電池３３に電力が供給されて充電される。ステップＳ１８において、携帯情報端末Ｔが充電器Ｃから外された場合には（ステップＳ１８；ＹＥＳ）、ＣＰＵ４１はスイッチＳＷを開いて充電用電源をオフにし（ステップＳ１９）、ステップＳ１１に戻る。
【００９１】
一方、ステップＳ１３においてコンテンツ再生実績情報を取得できない場合（ステップＳ１３；ＮＯ）と、ステップＳ１５において再生実績情報を取得できない場合（ステップＳ１５；ＮＯ）には、上記の充電用電源をオンにするステップＳ１７を行わずにステップＳ１８に進む。このとき、ステップＳ１８において携帯情報端末Ｔが充電器Ｃから外されるまでステップＳ１８の判断を繰り返し（ステップＳ１８；ＮＯ）、携帯情報端末Ｔが充電器Ｃから外された場合には（ステップＳ１８；ＹＥＳ）、元々の状態のままであるが、スイッチＳＷを開いた状態で充電用電源をオフとし（ステップＳ１９）、ステップ１１に戻る。
【００９２】
［４．第３実施形態］
端末充電システムＳの第３実施形態においては、再生実績情報が管理センタＭに送信されてから充電池５３に電力が供給されるように、携帯情報端末Ｔ内において制御されている。第３実施形態について、図７乃至図９を参照して説明する。
【００９３】
［４．１概要構成等］
図７を参照して、端末充電システムＳの第３実施形態における携帯情報端末Ｔと充電器Ｃの概要構成例について説明する。
【００９４】
図７に示すように、携帯情報端末Ｔは、主制御部５１と、主制御部５１に含まれたＦｌａｓｈＲＯＭ５１１と、ＵＳＢポート５２と、充電池５３と、スイッチＳＷと、充電用コネクタ５４と、通信用コネクタ５５と、を備えている。主制御部５１は、再生実績情報が記録される記録手段としても機能する。また、携帯情報端末Ｔにおいて、充電用コネクタ５４と主制御部５１との間を電力補助供給回路５６が結んでおり、充電用コネクタ５４と充電池５３との間をスイッチＳＷを含んだ充電用回路５７が結んでいる。
【００９５】
主制御部５１は、携帯情報端末Ｔ全体を統括・制御し、演算機能を有する。図示しない各構成は、第１実施形態の主制御部１１と同様である。なお、主制御部５１はＵＳＢポート５２と接続して他の装置等からコンテンツ等を取得する他、コンテンツを再生した場合に、これに係る再生実績情報をＦｌａｓｈＲＯＭ５１１に記録できるようになっている。また、主制御部５１は、充電器Ｃの再生実績情報取得手段としてのＣＰＵ６１が携帯情報端末Ｔから再生実績情報を取得し、かつ、充電器Ｃの再生実績情報送信手段としてのＣＰＵ６１が再生実績情報を管理センタＭに送信したことを、充電器Ｃから通信用コネクタ５５を介して信号等により検知した後に、充電用回路５７のスイッチＳＷを閉じて、充電池５３に充電器Ｃからの電力を供給して充電させる。
【００９６】
また、主制御部５１は、ＦｌａｓｈＲＯＭ５１１を含んでいる。主制御部５１は本発明の記録手段として機能し、主制御部５１の制御により再生実績情報がＦｌａｓｈＲＯＭ５１１に記録される。携帯情報端末Ｔが充電器Ｃに設置され、充電用コネクタ５４と充電器Ｃの充電用コネクタ６３とが接続されると、ＦｌａｓｈＲＯＭ５１１を含む主制御部５１には補助電力供給回路５６を通じて補助電力が供給され、ＦｌａｓｈＲＯＭ５１１の再生実績情報は、通信用コネクタ５５を介して充電器Ｃに取得される。
【００９７】
ＵＳＢポート５２、充電池５３及び充電用コネクタ５４は、第１実施形態の対応する各構成部材と同様である。
【００９８】
通信用コネクタ５５は、携帯情報端末Ｔの充電時に充電器Ｃの通信用コネクタ６４と接続し、ＦｌａｓｈＲＯＭ５１１から受信した再生実績情報を充電器Ｃに送信する。なお、通信用コネクタ５５は、主制御部５１における通信部として共用されてもよい。
【００９９】
補助電力供給回路５６は、主制御部５１に補助電力を供給するための回路であり、充電用コネクタ５４から主制御部５１に電力を供給する。この補助電力供給回路５６における電力は、主制御部５１のみに供給されて、充電器Ｃにおいて再生実績情報の取得を可能にするものであり、携帯情報端末Ｔの他の部分には供給されない。
【０１００】
充電用回路５７は、充電用コネクタ５４と充電池５３との間に設けられており、途中にスイッチＳＷを有している。充電用回路５７は、充電器Ｃの再生実績情報取得手段としてのＣＰＵ６１が携帯情報端末Ｔから再生実績情報を取得し、かつ、充電器Ｃの再生実績情報送信手段としてのＣＰＵ６１が再生実績情報を管理センタＭに送信したことを主制御部５１が検知した後に、充電池５３に充電器Ｃからの電力を供給して充電するためにスイッチＳＷを閉じる。具体的には、充電用回路５７のスイッチＳＷは、通常、図７に示すように開いており、充電器Ｃにより再生実績情報が管理センタＭに送信されたことを主制御部５１が検知すると閉じられて、充電用コネクタ５４から充電池５３に電力が供給される。このように、充電用回路５７及びスイッチＳＷは、主制御部５１により制御される。
【０１０１】
一方、充電器Ｃは、ＣＰＵ６１と、電源６２と、充電用コネクタ６３と、通信用コネクタ６４と、モデム４５と、ＲＡＭ４６と、を備えている。
【０１０２】
ＣＰＵ６１は、充電器Ｃ全体を統括・制御し、演算機能を有する。ＣＰＵ６１は、再生実績情報取得手段、再生実績情報送信手段、電力供給制御手段として機能する。これらの各手段としてのＣＰＵ６１は、第１実施形態の充電器ＣのＣＰＵ２１と同様に機能する。
【０１０３】
また、本実施形態では、特に、再生実績情報取得手段としてのＣＰＵ６１が、携帯情報端末Ｔの主制御部５１に補助電力供給回路５６から電力が供給された後に、再生実績情報を取得する。
【０１０４】
電源６２は、第１実施形態の電源２２とほぼ同様であり、ＣＰＵ６１の制御により、充電用コネクタ６３を介して携帯情報端末Ｔに電力を供給する。
【０１０５】
充電用コネクタ６３、モデム６５及びＲＡＭ６６は、第１実施形態の対応する各構成部材と同様である。
【０１０６】
通信用コネクタ６４は、携帯情報端末Ｔの充電時に携帯情報端末Ｔの通信用コネクタ５５と接続し、携帯情報端末Ｔから受信した再生実績情報をＣＰＵ６１に送信する。また、通信用コネクタ６４は、ＣＰＵ６１が携帯情報端末Ｔから再生実績情報を取得し、かつ、再生実績情報を管理センタＭに送信することに成功すると、このことを携帯情報端末Ｔの主制御部５１に向けて信号等により送信する。
【０１０７】
ここで、携帯情報端末Ｔと充電器Ｃとの接続が切断された場合には、充電用コネクタ５４、６３間の接続及び通信用コネクタ５５、６４間の接続が切断される。また、携帯情報端末Ｔにおける充電用コネクタ５４と主制御部５１間の補助電力供給回路５６への電力供給が途絶える。このとき、充電用コネクタ５４と充電池５３間の充電用回路５７への電力供給が途絶えるが、これに伴い、スイッチＳＷが閉じられていた場合では、スイッチＳＷが開いた状態になるよう主制御部５１により制御される。
【０１０８】
［４．２動作］
図８及び図９を参照して、端末充電システムＳの第３実施形態における充電器Ｃと携帯情報端末Ｔの動作について説明する。まず、図８を参照して充電器Ｃの動作について説明する。
【０１０９】
この動作の説明においては、充電器Ｃの電源が確保されてオンになると動作が開始し（ｓｔａｒｔ）、充電器Ｃから携帯情報端末Ｔへは常に電力が供給されている状態とする。
【０１１０】
図８に示すように、充電器Ｃにおける動作を開始すると、ＣＰＵ６１は充電用コネクタ６３及び通信用コネクタ６４において携帯情報端末Ｔが充電器Ｃに接続されたか否かを判断する（ステップＳ２１）。携帯情報端末Ｔが充電器Ｃに接続されない場合には、ステップＳ２１に戻り、携帯情報端末Ｔが充電器Ｃに接続されるまで、ステップＳ２１の判断を繰り返す（ステップＳ２１；ＮＯ）。ステップＳ２１において、携帯情報端末Ｔが充電器Ｃに接続されると（ステップＳ２１；ＹＥＳ）、電源６２から充電用コネクタ６３を介して携帯情報端末Ｔへ電力が供給される。このとき、携帯情報端末Ｔでは、充電用回路５７が開いているので、供給された電力は、補助電力供給回路５６を介して主制御部５１に供給される。そして、充電器ＣのＣＰＵ６１は、コンテンツ再生実績情報の要求を通信用コネクタ６４を介して送信する。すると、携帯情報端末Ｔの主制御部５１はＦｌａｓｈＲＯＭ５１１のコンテンツ再生実績情報を通信用コネクタ５５を介して送信する。そして、充電器ＣのＣＰＵ６１がコンテンツ再生実績情報を取得する（ステップＳ２２）。
【０１１１】
次いで、ＣＰＵ６１は、コンテンツ再生実績情報を携帯情報端末Ｔから取得できたか否かを判断する（ステップＳ２３）。コンテンツ再生実績情報を取得できた場合には（ステップＳ２３；ＹＥＳ）、ＣＰＵ６１は、取得したコンテンツ再生実績情報を管理センタＭへ公衆通信回線Ｌを介して送信する（ステップＳ２４）。
【０１１２】
次いで、ＣＰＵ６１は、コンテンツ再生実績情報を管理センタＭに送信できたか否かを判断する（ステップＳ２５）。コンテンツ再生実績情報を送信できた場合には（ステップＳ２５；ＹＥＳ）、ＣＰＵ６１は、携帯情報端末Ｔにコンテンツ再生実績情報を削除する指示を通信コネクタ６４を介して送信し、かつ、再生実績情報を管理センタＭに送信できたことを示す信号を通信コネクタ６４を介して送信し（ステップＳ２６）、処理を終了する（ｅｎｄ）。
【０１１３】
一方、ステップＳ２３においてコンテンツ再生実績情報を取得できない場合（ステップＳ２３；ＮＯ）と、ステップＳ２５において再生実績情報を取得できない場合（ステップＳ２５；ＮＯ）には、他の処理を行わずに処理を終了する（ｅｎｄ）。
【０１１４】
次いで、図９を参照して携帯情報端末Ｔの動作について説明する。
【０１１５】
この動作の説明においては、充電器Ｃに携帯情報端末Ｔが設置されると動作が開始し（ｓｔａｒｔ）、充電器Ｃに携帯情報端末Ｔが設置されると充電器Ｃから携帯情報端末Ｔへは常に電力が供給されている状態となる。
【０１１６】
図８に示すように、充電器Ｃに携帯情報端末Ｔが設置されると、主制御部５１は充電用スイッチＳＷをオフにする（ステップＳ３１）。このとき、充電用スイッチＳＷがオフになっていれば、そのままでよい。次いで、主制御部５１は、コンテンツ再生実績情報を送信すべき要求が充電器Ｃからあるか否かを判断する（ステップＳ３２）。コンテンツ再生実績情報を送信すべき要求が充電器Ｃからあるまでこの判断を繰り返し（ステップＳ３２；ＮＯ）、コンテンツ再生実績情報を送信すべき要求が充電器Ｃからあると（ステップＳ３２；ＹＥＳ）、主制御部５１は、ＦｌａｓｈＲＯＭ５１１に記録されたコンテンツ再生実績情報を通信用コネクタ５５を介して充電器Ｃに送信する（ステップＳ３３）。
【０１１７】
次いで、主制御部５１は、充電器Ｃからコンテンツ再生実績情報を削除する指示及びコンテンツ再生実績情報を管理センタＭに送信できたことを示す信号があったか否かを判断する（ステップＳ３４）。充電器Ｃからコンテンツ再生実績情報の指示等があるまでこの判断を繰り返し（ステップＳ３４；ＮＯ）、充電器Ｃからコンテンツ再生実績情報の指示等があると（ステップＳ３４；ＹＥＳ）、主制御部５１は、コンテンツ再生実績情報をＦｌａｓｈＲＯＭ５１１から削除する（ステップＳ３５）。
【０１１８】
また、主制御部５１は、コンテンツ再生実績情報を管理センタＭに送信できたことを示す信号を受信しているため、充電用スイッチＳＷをオンにして（ステップＳ３６）、充電池５３に電力の供給を開始する。次いで、主制御部５１は、充電池５３が満充電になったか、又は、充電器Ｃが携帯情報端末Ｔから外されたか否かを判断する（ステップＳ３７）。主制御部５１は、充電池５３が満充電になるか、又は、充電器Ｃが携帯情報端末Ｔから外されるまで、この判断を繰り返し（ステップＳ３７；ＮＯ）、充電池５３が満充電になった場合、又は、充電器Ｃが携帯情報端末Ｔから外された場合に（ステップＳ３７；ＹＥＳ）、充電用スイッチＳＷをオフにして（ステップＳ３８）、充電池５３に電力が供給されないように制御し、処理を終了する（ｅｎｄ）。
【０１１９】
［５．変形形態］
本発明の一例として上述の実施形態を説明したが、本発明はこれに限定されず、例えば、以下の変形形態とすることもできる。
【０１２０】
上述の第１実施形態から第３実施形態においては、携帯情報端末Ｔに電力が全くなくなる場合を想定して、少なくとも充電器Ｃが先に再生実績情報を取得できるように、記録手段に補助電力を供給して再生実績情報を取得できるようにしたり、電子タグから再生実績情報を取得できるようにしたものである。
【０１２１】
本発明の端末充電システムの実施形態は、これらに限定されず、例えば、少なくとも充電器Ｃが先に再生実績情報を取得できるように、ユーザからは携帯情報端末Ｔに電力が全くなくなったことが認識される場合であっても、携帯情報端末Ｔの記録手段においては再生実績情報を送信できるだけの電力を必ず蓄えておく態様としてもよい。
【０１２２】
このように、本発明の端末充電システムは、充電器Ｃが、携帯情報端末Ｔが再生した情報の実績を示す再生実績を記録する記録手段（ＦｌａｓｈＲＯＭ１６等）から、当該再生実績の情報を示す再生実績情報を取得する再生実績情報取得手段（ＣＰＵ２１）と、携帯情報端末Ｔから取得した再生実績情報を、携帯情報端末Ｔの再生実績を管理する管理装置としての管理センタＭに通信経路としての公衆通信回線Ｌを介して送信する再生実績情報送信手段（ＣＰＵ２１）と、再生実績情報取得手段（ＣＰＵ２１）が、携帯情報端末Ｔから再生実績情報を取得し、かつ、再生実績情報送信手段（ＣＰＵ２１）が再生実績情報を管理センタＭに送信した後に、携帯情報端末Ｔの充電池１３に電力を供給する電力供給制御手段と（ＣＰＵ２１）と、を備えていればよい。
【０１２３】
このことにより、携帯情報端末Ｔにおけるコンテンツ等の情報の再生実績を管理センタＭに通知することを妨害することによる不正な課金逃れを防止し、管理センタＭにおいて適正な課金処理を行うことが可能となる。
【０１２４】
（リトライについて）
上述の各実施形態においては、図４のステップＳ６；ＮＯ等に示すように、充電器ＣのＣＰＵ２１が一度再生実績情報の送信に失敗すると、一度携帯情報端末Ｔを充電器Ｃから外さない限り（ステップＳ９等）、再生実績情報を送信できない態様としているが、充電器ＣのＣＰＵ２１は、管理センタＭが再生実績情報を受信できない場合に、管理センタＭに再生実績情報を再度送信することとしてもよい。このようにすると、確実に再生実績情報を管理センタＭに送信することができ、携帯情報端末Ｔにおいて充電しやすくすることができる。また、管理センタＭにおいても課金処理のための情報を得やすくなる。
【０１２５】
上述の各実施形態においては、図４のステップＳ４；ＮＯ等に示すように、充電器ＣのＣＰＵ２１が一度再生実績情報の取得に失敗すると、一度携帯情報端末Ｔを充電器Ｃから外さない限り（ステップＳ９等）、再生実績情報を再取得できない態様としているが、充電器ＣのＣＰＵ２１は、再生実績情報を取得できない場合に、携帯情報端末Ｔから再生実績情報を再度取得することとしてもよい。このようにすると、確実に再生実績情報を取得でき、管理センタＭに送信することもできるようになり、携帯情報端末Ｔにおいて充電しやすくすることができる。また、管理センタＭにおいても課金処理のための情報を得やすくなる。
【０１２６】
（表示部について）
上述の各実施形態においては説明していないが、本発明の端末充電システムにおいて、充電器Ｃや携帯情報端末Ｔは、図１０に携帯情報端末Ｔが充電器Ｃにより充電される様子の一例を示すように、少なくともいずれか一方に表示部８１、７１を有していてもよい。
【０１２７】
この表示部においては、充電器ＣのＣＰＵ２１が管理センタＭに再生実績情報を送信した程度を示すことができる。例えば、充電器Ｃの表示部８１を参照すると、再生実績情報の送信した程度について「送信中４５％」の表示がされている。また、表示部においては、携帯情報端末Ｔの充電池１３における充電された程度を示すことができる。例えば、携帯情報端末Ｔの表示部７１を参照すると、黒四角が充電完了、白抜き四角が未充電を示すものとして、約２／３充電が完了していることを示している。また、表示部８１、７１は、充電器ＣのＣＰＵ２１において再生実績情報の送信に失敗した場合に、再生実績情報の送信に失敗したことを示してもよい。このように、充電器Ｃや携帯情報端末Ｔに備えられる表示部８１、７１により、各情報を携帯情報端末Ｔのユーザが確認でき、この情報によりすぐにユーザが何らかの対処が可能となるため、ユーザにおける利便性が向上したものとなる。
【０１２８】
（公衆通信回線Ｌについて）
上述の各実施形態においては、本発明における通信経路として公衆通信回線Ｌを用いて説明したが、携帯情報端末Ｔの再生実績を管理し、課金処理等を行う管理センタＭに、充電器Ｃが再生実績情報を送信できる手段であれば、どのようなものであってもよい。また、通信経路として電力線インターネット経路を用いることもでき、この場合には、充電器Ｃにおける電源２２の供給経路と再生実績情報送信のための通信経路を同時に確保できることとなる。
【０１２９】
（再生実績情報について）
再生実績情報は、上述の各実施形態のように、携帯情報端末Ｔから充電器Ｃに取得され、管理センタＭに送信された後に、携帯情報端末Ｔの記録手段から削除されてもよいし、そのまま記録していてもよい。
【０１３０】
携帯情報端末Ｔにおいて記録手段に再生実績情報をそのまま記録している場合には、管理センタＭに当該再生実績情報を送信した後、再生実績情報と併せて課金済み又は管理センタＭへ報告済みであることを記録手段に記録してもよい。さらに、携帯情報端末Ｔにおいて、所定の期間又は記録手段に再生実績情報が記録されている限りは、充電器Ｃを通じて管理センタＭが再度再生実績情報を取得できるようにしてもよい。また、このような場合には、携帯情報端末Ｔが一度再生実績情報を送信した後、通常、未送信の再生実績情報のみを充電器Ｃに送信することが好ましい。
【０１３１】
なお、充電器Ｃに携帯情報端末Ｔを設置したときに、再生実績情報がない場合、すなわち、前回の充電の後にコンテンツを再生していない場合には、再生実績情報は既に送信したものとして、充電器Ｃは携帯情報端末Ｔに電力を供給すればよい。
【０１３２】
上述の充電器Ｃ、携帯情報端末Ｔの各動作に対応するプログラムをフレキシブルディスク又はハードディスク等の情報記録媒体に記録しておき、或いはインターネット等のネットワークを介して取得して記録しておき、これをマイクロコンピュータ等により読み出して実行することにより、当該マイクロコンピュータを各実施形態に係るＣＰＵ２１、４１、６１又はＣＰＵ１５、主制御部５１等として機能させることも可能である。
【図面の簡単な説明】
【０１３３】
【図１】本実施形態に係る端末充電システムＳにおける携帯情報端末Ｔ及び充電器Ｃ等の接続態様の一例を示す図である。
【図２】再生実績情報の一例を示す。
【図３】端末充電システムＳの第１実施形態における携帯情報端末Ｔと充電器Ｃの概要構成例を示す図である。
【図４】端末充電システムＳの第１実施形態における充電器Ｃの動作を示すフローチャートである。
【図５】端末充電システムＳの第２実施形態における携帯情報端末Ｔと充電器Ｃの概要構成例を示す図である。
【図６】端末充電システムＳの第２実施形態における充電器Ｃの動作を示すフローチャートである。
【図７】端末充電システムＳの第３実施形態における携帯情報端末Ｔと充電器Ｃの概要構成例を示す図である。
【図８】端末充電システムＳの第３実施形態における充電器Ｃの動作を示すフローチャートである。
【図９】端末充電システムＳの第３実施形態における携帯情報端末Ｔの動作を示すフローチャートである。
【図１０】携帯情報端末Ｔが充電器Ｃにより充電される様子の一例を示す図である。
【符号の説明】
【０１３４】
１１、３１、５１  主制御部
１２、３２、５２  ＵＳＢポート
１３、３３、５３  充電池
１４、３４、５４  携帯情報端末の充電用コネクタ
１５  携帯情報端末のＣＰＵ
１６、５１１  ＦｌａｓｈＲＯＭ
１７、５５  携帯情報端末の通信用コネクタ
２１、４１、６１  充電器のＣＰＵ
２２、４２、６２  電源
２３、４３、６３  充電器の充電用コネクタ
２４、６４  充電器の通信用コネクタ
２５、４５、６５  モデム
２６  ＲＡＭ
３５  電子タグ
４４  電子タグ用アンテナ
５６  補助電力供給回路
５７  充電用回路
ＳＷ  スイッチ
Ｃ  充電器
Ｔ  携帯情報端末
Ｍ  管理センタ
Ｌ  公衆通信回線
Ｓ  端末充電システム
【図１】
2008052406.tif 000003
【図２】
2008052406.tif 000004
【図３】
2008052406.tif 000005
【図４】
2008052406.tif 000006
【図５】
2008052406.tif 000007
【図６】
2008052406.tif 000008
【図７】
2008052406.tif 000009
【図８】
2008052406.tif 000010
【図９】
2008052406.tif 000011
【図１０】
2008052406.tif 000012